(57)【特許請求の範囲】
【請求項１】
スノーボードに取り付けられるベース部材と、
前記ベース部材に回動可能に設けられ、上面にビンディング部材を取り付けるための取り付け手段若しくは靴を固定するための固定手段を有するロータ部材と、
前記ベース部材の上面部に取り付けられ、ロータ部材を回動可能に前記ロータ部材を保持する保持部材と、
前記ベース部材若しくは保持部材とロータ部材との間に設けられ、回動したロータ部材を、回動前のロータ部材位置である基準位置に復帰させる復帰手段とから構成され、
前記復帰手段は、前記ベース部材若しくは保持部材とロータ部材との間に掛け渡されたバネ部材であり、
前記ベース部材とロータ部材の相対向する位置に、あるいは保持部材とロータ部材の相対向する位置に、磁極の異なる磁石が設けられていることを特徴とするスノーボード用ビンディング装置。
【請求項２】
前記ベース部材若しくは保持部材にロータ回動阻止手段が設けられ、前記ロータ部材が前記ロータ回動阻止手段に当接することにより、前記ロータ部材の回動が阻止されることを特徴とする請求項１に記載のスノーボード用ビンディング装置。
【請求項３】
ベース部材あるいは保持部材に開口した、ロータ部材の内部まで連通する連通孔を備え、前記連通孔にピンを挿入することによって、ロータ部材がベース部材あるいは保持部材に対して固定されることを特徴とする請求項１または請求項２に記載のスノーボード用ビンディング装置。
【発明の詳細な説明】
【技術分野】
【０００１】
本発明は、スノーボード用ビンディング装置に関し、詳しくはスノーボードに対して回動可能に構成したスノーボード用ビンディング装置に関する。
【背景技術】
【０００２】
スノーボードに靴を固定するには、ビンディング装置が用いられている。このビンディング装置は、図１５に示すように、靴を保持するホルダー部６２と、ホルダー部６２をスノーボードＳＢに取り付ける取り付け板６３とを備えている。そして、前記取り付け板６３は、ホルダー部６２に設けられた嵌合孔６２ａに嵌合し、スノーボードＳＢに設けられた螺子孔に対して複数の螺子６１により固定されている。
【０００３】
なお、図示していないが、ホルダー部６２の嵌合孔６２ａの周縁部には、歯列が設けられ、取り付け板６３の周縁部にも同様の歯列が設けられている。この両者の歯列を自由に噛み合わせることにより、スノーボードＳＢに対するホルダー部６２の角度、即ち、ビンディング装置６０の角度を矢印に示すように調節することができるように構成されている。
【０００４】
しかしながら、このようなビンディング装置６０にあっては、ホルダー部６２の取り付け時にはその角度を調節することができるが、スノーボードＳＢを使用している時には、ホルダー部６２は、スノーボードＳＢに螺子６１にて固定された状態にあり、角度を調節することができなかった。
そのため、滑走時には、ビンディング装置６０の動き、言い換えれば足の動きが規制され、滑り方にも制限があった。また、滑走時に足が固定されていると、膝や足首等の関節に負担が掛かり、特に、転倒等の場合には骨折などの危険もあった。
【０００５】
かかる問題を解決するため、特許文献１（特開２００３−２４４９６）には、滑走時にスノーボードＳＢに対してビンディングを回動可能としたスノーボード用ビンディングのセッティング装置が提案されている。
このセッティング装置７０は、図１６に示すように、スノーボードに取り付けるための螺子孔７１ａ及び後述する圧接板７４を固定するための螺子部７１ｂが形成されたベース部材７１を備えている。このベース部材７１はスノーボードの所定の位置に、前記螺子孔７１ａと螺子（図示せず）を用いて固定される。
【０００６】
前記ベース部材７１にはベアリング７２が収納され、そのベアリング７２の上面には、回転部材７３が載置される。この回転部材７３の上方から圧接板７４を覆い、前記回転部材７３を回転可能に保持している。
即ち、前記圧接板７４は、回転部材７３のビンディング取り付け部７３ｃが挿通される貫通穴７４ａ及び切り欠き部７４ｂを有している。そして、回転部材７３の上方から圧接板７４を覆うことにより、回転部材７３のビンディング取り付け部７３ｃ及び突部７５ｂが圧接板７４を挿通し、回転部材７３の鍔部７３ｂに圧接板７４が圧接するように構成されている。
【０００７】
また、回転部材７３の鍔部７３ｂに圧接した圧接板７４は、ベース部材７１の螺子部７１ｂが挿通し、ナット７４ｃによってベース部材７１に固定される。
更に、前記回転部材７３の突部７５ｂには螺子孔が形成され、上方から螺子７５ａを螺合させ、螺子７５ａが圧接板７４の上面に圧接する。これにより、所定の回転力が回転部材７３に加わると、回転部材７３はベース部材７１に対して回転する。尚、図１６中、符号７３ａは図示しないビンディングを取り付けるための螺子孔である。
【０００８】
前記スノーボード用ビンディングのセッティング装置は、上記のように回転部材７３が回動可能に構成されているため、ビンディングの角度を自由に変えることができる。このため、スノーボードにビンディングを取り付けたままでもリフトの乗り降りや傾斜の無い場所での移動がスムースにできると共に、滑走時にはスノーボードに対してビンディング（回転部材７３）が回動可能となり、自由な滑り方を楽しむことができる。
【特許文献１】特開２００３−２４４９６号公報
【発明の開示】
【発明が解決しようとする課題】
【０００９】
ところで、上述のセッティング装置７０では、スノーボードに対してビンディング（回転部材７３）が一旦回動してしまうと、滑走当初の基準位置へビンディング（回動部材７３）を戻すには経験や感に頼るしかなかった。このため、初心者や子供にとっては、基準位置が分からなくなり、扱い難いという問題があった。また、スノーボードに対するビンディング（回動部材７３）の回動を規制する手段が設けられていないため、滑走時にビンディング（回動部材７３）が必要以上に回動してしまい、扱い難くいという問題があった。
さらに、転倒等の衝撃で、ビンディング（回動部材７３）が必要以上に回動すると、膝や足首等の関節に負担が掛かり、怪我などの危険もあった。
【００１０】
本発明は上記技術的課題を解決するためになされたものであり、ビンディングの回動後、基準位置へ正確に復帰すると共に、滑走時においても制御し易いように設定の範囲内でビンディングを回転可能とすることにより、自由な滑りを可能としつつ、膝や足首等の関節への負担を軽減することができるスノーボード用ビンディング装置を提供することを目的とする。
【課題を解決するための手段】
【００１１】
上記課題を解決するためになされた本発明にかかるスノーボード用ビンディング装置は、スノーボードに取り付けられるベース部材と、前記ベース部材に回動可能に設けられ、上面にビンディング部材を取り付けるための取り付け手段若しくは靴を固定するための固定手段を有するロータ部材と、前記ベース部材の上面部に取り付けられ、ロータ部材を回動可能に前記ロータ部材を保持する保持部材と、前記ベース部材若しくは保持部材とロータ部材との間に設けられ、回動したロータ部材を、回動前のロータ部材位置である基準位置に復帰させる復帰手段とから構成され、前記復帰手段は、前記ベース部材若しくは保持部材とロータ部材との間に掛け渡されたバネ部材であり、前記ベース部材とロータ部材の相対向する位置に、あるいは保持部材とロータ部材の相対向する位置に、磁極の異なる磁石が設けられていることを特徴としている。
【００１２】
このように、回動したロータ部材を基準位置に復帰させる復帰手段が設けられているため、ロータ部材に一定の力が加わりロータ部材が回動した後、その加えられた力が解除された場合には、ロータ部材は復帰手段により基準位置へ復帰することができる。
【００１３】
特に、前記復帰手段は、前記ベース部材若しくは保持部材とロータ部材との間に掛け渡されたバネ部材であり、このバネ部材は線材のみならず板材であっても良く、更にはコイルスプリングであっても良い。
【００１４】
また、前記ベース部材とロータ部材の相対向する位置に、あるいは保持部材とロータ部材の相対向する位置に、磁極の異なる磁石が設けられている。
このように、ベース部材とロータ部材の相対向する位置に、あるいは保持部材とロータ部材の相対向する位置に、磁極の異なる磁石が設けられているため、正確な基準位置への復帰が可能となる。
また、磁石の吸着効果により、ロータ部材が基準位置からは離れる際あるいはまた基準位置に復帰した際、クリック感を使用者に与えることができ、使用者はロータ部材が基準位置から離れたこと、基準位置に復帰したことを認識することができる。
【００１５】
また、前記ベース部材若しくは保持部材にロータ回動阻止手段が設けられ、前記ロータ部材が前記ロータ回動阻止手段に当接することにより、前記ロータ部材の回動が阻止されることが望ましい。
このように、ロータ回動阻止手段が設けられているため、ロータ部材が必要以上に回動しようとした場合には、ロータ部材がロータ回動阻止手段に当接し、ロータ部材の回動が規制される。
その結果、転倒等の衝撃でロータ部材に大きな力が加わった場合であっても、膝や足首等の関節に過度に負荷が加わることがない。
【００１６】
また、ベース部材あるいは保持部材に開口した、ロータ部材の内部まで連通する連通孔を備え、前記連通孔にピンを挿入することによって、ロータ部材がベース部材あるいは保持部材に対して固定されることが望ましい。
このように、前記連通孔にピンを挿入し、ロータ部材を回動不能に固定することによって、従来と同様にビンディング部材を固定して滑走することができる。
【発明の効果】
【００１７】
上述のように本発明によれば、ビンディング部材（ロータ部材）の回動後、ビンディング部材（ロータ部材）を基準位置へ正確に復帰することができる。また、滑走時においても制御し易いように設定の範囲内で、ビンディング部材（ロータ部材）を回動可能とすることにより、自由なすべりを可能としつつ、膝や足首等の関節への負担を軽減することができる。
【発明を実施するための最良の形態】
【００１８】
以下、本発明に係るスノーボード用ビンディング装置の実施形態を図面に基づいて説明する。図１は、本発明に係るスノーボード用ビンディング装置の展開斜視図を示している。このビンディング装置１は、ベース部材１０、ロータ部材２０、復帰手段３０、保持部材４０及び保護板５０とから構成されている。なお、本実施形態における各図において、保護板５０は、内部の構造が理解しやすいように透明なものとして図示する。
【００１９】
まず、ベース部材１０は、図１に示すように、スノーボード（図示せず）に取り付けるための取り付け部１１を有する円板状の金属部材である。また、このベース部材１０の周縁部には段部１２が設けられ、この段部１２の内側にロータ部材２０が収容される収容部１３が設けられている。
【００２０】
前記取り付け部１１はベース部材１０の中央に複数設けられた長穴であって、このように長穴としたことにより、スノーボードに対するビンディング装置１の取り付け位置を調節することができる。
また、ベース部材１０をスノーボードに取り付ける際には、ゴム製の保護部材１４を用いることが好ましい。なお、保護部材１４を用いる場合には、保護部材１４にも取り付け部１１と同様の長穴１４ａが必要となる。
【００２１】
前記段部１２の内側にはロータ部材２０の収容部１３が形成されている。この段部１２は、前記収容部１３に収容したロータ部材２０が滑走時に横方向（径方向）にずれるのを防止するものである。この段部１２の上面部には、保持部材４０を取り付ける螺子孔１５が４５°間隔で８個設けられている。
【００２２】
前記収容部１３は、ロータ部材２０を収容し、かつその内部でロータ部材２０が回動できるように、ロータ部材２０の直径よりも若干大きめの直径を有している。この収容部１３には、ロータ部材２０が一定角度以上、回動しないように回動を規制する、ロータ回動阻止手段としてのリミッタ１７が２個設けられている。
尚、本実施形態において、２個のリミッタ１７の中心線が交わる角度が約９０°となるように取り付けているが、収容部１３に同心円状に設ける複数の取付孔１７ａにより、任意の角度に調節することができる。
【００２３】
前記ロータ部材２０は円板状の金属部材であって、図３に示すように、裏面２１が刳り貫かれて凹形状になされている。またロータ部材２０の上面部の周縁部にはテーパ状の傾斜部２２が形成されている。
また、ロータ部材２０には、中心角が所定角度の扇形状の開口部２３が設けられている。
更に、ロータ部材２０の中央部には、組合わせた状態でも、スノーボードへの取り付け螺子の増し締めができるように、ベース部材１０の取り付け部１１の螺子に対応させた貫通孔２４が設けられている。また、この貫通孔２４の周りには、ビンディング部材６０を取り付けるための螺子孔２５が８箇所設けられている。尚、ビンディング部材によっては貫通孔に固定できる場合があるため、その場合には、螺子孔ではなく、貫通孔が設けられていれば良い。
【００２４】
ベース部材１０とロータ部材２０との間には、図４の復帰手段の概略説明図に示すように、回動したロータ部材２０を基準位置へ復帰させる復帰手段３０が掛け渡されている。
詳しく説明すると、バネ部材からなる復帰手段３０の一端は、ロータ部材２０の裏面２１に設けられた係止部材２１ａに係止されている。そして、係止された一端からバネ部材からなる復帰手段３０は、ロータ部材２０の中央部で螺旋を描き、略９０°方向を変え、ベース部材１０の収容部１３に設けたローラ１３ｂより、略１８０°方向を変えて中央部に向かい、さらに螺旋を描き略９０°方向を変え、ロータ部材２０の裏面２１に設けた係止部材２１ｂに、他端が係止されている。
【００２５】
なお、前記ローラ１３ｂはピン１３ａに回動自在に設けられ、前記ローラ１３ｂがピン１３ａから外れないように、前記ピン１３ａの上部には、Ｅ型リング１３ｃが取り付けられている。
図面からも明らかであるため、説明は省略するが、ベース部材１０とロータ部材２０との間には、ベース部材１０を中心として点対称な位置に、前記復帰手段と同一構成の復帰手段３０が掛け渡されている。
【００２６】
このような構成を採用することにより、ロータ部材２０に一定の力が加わり、ロータ部材２０が回動した後、その加えられた力が解除された場合には、ロータ部材２０は、前記バネ部材からなる復帰手段３０により基準位置へ復帰することができる。なお、前記復帰手段３０として線材のバネ部材を示したが、これに限定されるものではなく、板状部材あるいはまたコイルスプリングであっても良い。
【００２７】
また、ロータ部材２０の周縁には、９０°間隔で４箇所に位置決め用の磁石２６が取り付けられている。一方、図５に示すように、ベース部材１０の裏面側であって、前記磁石２６に対応する位置には、磁極の異なる磁石２７が取り付けられている。即ち、上述の復帰手段３０のみでは、ロータ部材２０の正確な基準位置への復帰が困難であり、前記した上下の磁石２６、２７を用いることによって正確な基準位置への復帰が可能となる。
なお、磁石２７、２６の効果により、ロータ部材２０が基準位置からは離れる際、クリック感を使用者に与えることができ、使用者はロータ部材２０が基準位置から離れたことを認識することができる。同様にロータ部材２０が基準位置に復帰した際、クリック感を使用者に与えることができ、使用者はロータ部材２０が基準位置に復帰したことを認識することができる。
【００２８】
また、転倒等でロータ部材２０に大きな力が加わった場合、復帰手段３０のみではロータ部材２０の回動を十分に規制することができない。このため、ベース部材１０の収容部１３には、ロータ部材の回動を規制する２個のリミッタ１７が取り付けられている。
即ち、ロータ部材２０が必要以上に回動しようとした場合には、ロータ部材２０の開口部２３の端部２３ａ（２３ｂ）にリミッタ１７が当接し、ロータ部材２０の回動が規制される。その結果、転倒等の衝撃でロータ部材２０に大きな力が加わった場合であっても、リミッタ１７によりロータ部材２０の回動が規制されるため、膝や足首等の関節に過度に負荷が加わることがない。
【００２９】
また、前記保持部材４０はリング状の金属部材であって、ロータ部材２０の脱落を規制するもので、保持部材４０の内側側面には、前記ロータ部材２０の傾斜部２２に対応した傾斜面４１が形成されている。即ち、ロータ部材２０が上方に移動した際、その移動を阻止し、ロータ部材２０の脱落を規制するように構成されている。また、前記保持部材４０には、ベース部材１０の螺子孔１５に対応した位置に、螺子４３が通る貫通孔４２が設けられている。
【００３０】
また、前記保護板５０は、ロータ部材２０の開口部２３等からの雪やゴミの侵入を防止するものである。これによって、ロータ部材２０は雪、ゴミ等の進入物によって妨げられることなく回動する。この保護板５０は、プラスチック製の円形の薄板からなり、ロータ部材２０の表面を覆うようにビンディング部材６０により取り付けられることによって、固定される。このため、ロータ部材２０のビンディング取り付け用の螺子孔２５に対応した複数の長穴５１が、この保護板５０に設けられている。
尚、ベース部材１０の取り付け部１１及びロータ部材２０の貫通孔２４に対応させて、長穴５１を形成することにより、ビンディング部材６０をロータ部材２０に取り付けた状態で、ドライバーを長穴５１、貫通孔２４を挿通して、ベース部材１０をスノーボードに固定するための螺子の増し締めを行うことができる。
【００３１】
また、図２、６に示すように、保持部材４０とベース部材１０の側壁を跨いで形成された開口を有する、ロータ部材２０の内部まで連通する連通孔２が形成されている。そして、前記連通孔２にピン３を挿入することによって、ロータ部材２０はピン３により規制され、ロータ部材２０の回動が阻止される。
このピン３は、図６に示すように、連通孔２と略同じ長さの金属製の円筒部３ａを有し、この円筒部３ａから屈曲した端部３ｂが突出している。そして、把持部３ｃを押圧、あるいは押圧解除することにより、バネ作用により端部３ｂを狭小、拡開するように構成されている。
即ち、把持部３ｃを押圧し、端部３ｂを狭小し、前記連通孔２にピン３を挿入し、把持部３ｃの押圧を解除し、端部３ｂをロータ部材２０の内壁面に係止させ、ロータ部材２０を回動不能に固定する。これによって、従来と同様にビンディング部材６０を固定して滑走することができる。
また、把持部３ｃを押圧し、端部３ｂを狭小し、前記連通孔２からピン３を取り外すことによって、ロータ部材２０を回動自在にすることができる。
尚、前記連通孔２として、保持部材４０とベース部材１０の側壁を跨いで開口し、ロータ部材２０の内部まで連通する場合を説明したが、ロータ部材２０の上面に開口し、ベース部材１０の内部まで連通する連通孔であっても良い。この場合であっても、前記連通孔にピンを挿入することによって、ロータ部材２０はピンにより規制され、ロータ部材２０の回動が阻止される。
【００３２】
本発明に係るスノーボード用ビンディング装置をスノーボードに取り付けるには、まずベース部材１０をスノーボードの所定の位置に取り付ける。取り付けられたベース部材１０の磁石２７とロータ部材２０の磁石２６との位置を合わせ、ベース部材１０にロータ部材２０を取り付ける。この際、上述のように、復帰手段３０をベース部材１０とロータ部材２０の間に掛け渡す。
そして、ベース部材１０の段部１２に保持部材４０を載置し、保持部材４０を螺子４３によりベース部材１０に固定する。
この際、ベース部材１０と保持部材４０との接触部分にスペーサシートを挿入することにより、またベース部材１０とロータ部材２０との接触部分にスペーサシート（図示せず）を挿入することにより、ロータ部材２０の回転の固さやがたつき等を調整することができる。
【００３３】
そして、ロータ部材２０の上部に保護板５０を載置した後、ビンディング部材６０をロータ部材２０のビンディング取り付け用の螺子孔２５に螺子により固定する。なお、前記したようにビンディング部材６０をロータ部材２０に取り付けた状態においても、ドライバーを長穴５１、貫通孔２４を挿通して、ベース部材１０をスノーボードに固定するための螺子の増し締めを行うことができる。
【００３４】
次に、本発明に係るスノーボード用ビンディング装置を用いて滑走を行う場合について、図７乃至図９を用いて説明する。なお、図７乃至図９においては、ビンディング装置１を簡略化して記載している。
まず、図７に示すように、基準位置Ａに足Ｆが位置する状態で滑走を開始する。そして、図８に示すように、ターン等のため足Ｆによって、ロータ部材２０を左に回転させる力をロータ部材２０に加えた場合には、ベース部材１０に対してロータ部材２０が反時計方向に回動して、足ＦはＡからＢの状態となる。
【００３５】
この際、必要以上に大きな力が足Ｆに加わった（ロータ部材２０に加わった）場合であっても、開口部２３の端部２３ａがリミッタ１７に当接してロータ部材２０の回動が規制される。その後、ターン等が終わり、前記力が解除された場合には、ロータ部材２０は、復帰手段３０及び磁石２６，２７により、基準位置Ａに正確に復帰する。
なお、基準位置Ａからロータ部材２０が離れる際、あるいは基準位置Ａに復帰する際、前記磁石２６，２７の吸着力によって、いわゆるクリック感が生じ、基準位置Ａを離れたこと及び復帰したことを認識することができる。
【００３６】
また前記した場合と逆に、ターン等のため足Ｆによって、ロータ部材２０を右に回転させる力をロータ部材２０に加えた場合には、図９に示すように、スノーボードに取り付けられたベース部材１０に対してロータ部材２０が時計方向に回動して、足ＦはＡからＣの状態となる。
この際、必要以上に大きな力が足Ｆに加わった（ロータ部材２０に加わった）場合であっても、前記した場合と同様に、開口部２３の端部２３ｂがリミッタ１７に当接してロータ部材２０の回動が規制される。その後、ターン等が終わり、前記力が解除された場合には、ロータ部材２０は、復帰手段３０及び磁石２６，２７により、基準位置Ａに正確に復帰する。
なお、基準位置Ａからロータ部材２０が離れる際、あるいは基準位置Ａに復帰する際、前記磁石２６，２７の吸着力によって、いわゆるクリック感が生じ、基準位置Ａを離れたこと及び復帰したことを認識することができる。
【００３７】
このように、足Ｆの動きに合わせてロータ部材２０が回動するので、滑っているときのスタンスの向きを変えることができ、状況に応じてアルペンやフリースタイルにスムースに移行でき、スノーボードをより楽しむことができる。
また、ロータ部材２０は、復帰手段３０及び磁石２６，２７により、基準位置Ａに正確に復帰する。そしてまた、基準位置Ａからロータ部材２０が離れる際、あるいは基準位置Ａに復帰する際、前記磁石２６，２７の吸着力によって、いわゆるクリック感が生じ、基準位置Ａを離れたこと及び復帰したことを認識することができる。
更に、転倒などで、足Ｆに大きな力が加わった場合であっても、リミッタ１７によりロータ部材２０の回動が規制されるため、膝や足首等の怪我を防止することができる。
【００３８】
また、従来のようにビンディングをスノーボードに固定した状態で滑りたい場合には、前記ピン３を連通孔２に挿入することにより、ロータ部材２０を固定することができ、ロータ部材２０の回動を阻止できる。
【００３９】
上述の実施形態においては、ロータ部材２０に一つの扇形状の開口部２３を設けたものを用いて説明したが、開口部２３を設けることなく凹部形状とし、その凹部の側壁がリミッタと当接するように構成しても良い。
また、図１０に示すように、２つの扇形状の開口部２３１，２３２を設け、開口部２３１，２３２毎にリミッタ１７を設けても良い。このように、開口部２３１，２３２を設けることにより、ロータ部材２０の軽量化を図ることができると共に、前記リミッタ１７によってロータ部材２０の回動を規制することができる。なお、図１０において、他の構成及び他の作用効果についての説明は、上述の実施形態と同じであるため、図面に同一符号を付し、その説明は省略する。
【００４０】
また、上記実施形態にあっては、回動阻止手段として、ベース部材にリミッタを設け、ロータ部材に開口部を形成した場合を示したが、特に本発明はこれに限定されることなく、例えば、ロータ部材の下面に突起を形成し、前記リミッタと当接するように構成しても良い。
また、図１４に示すように保持部材４０の上面にロータ部材２０側に突出する突起部４６を設けると共に、ロータ部材２０の上面に突起部４７を設け、前記突起部４７が突起部４６に当接することにより、ロータ部材２０の回動を阻止するようにしても良い。
【００４１】
また、上記実施形態にあっては、ベース部材１０の周縁部に段部１２を形成すると共に段部１２の内側に収容部１３を形成し、更に前記段部１２上面に保持部材４０を取り付けることによって、ロータ部材２０の脱落を防止している。
本発明は、これに限定されるものではなく、図１１に示すように、ベース部材１０の段部を形成することなく、平面状のベース部材１０に保持部材４０を取り付けることにより、ロータ部材２０の脱落を防止しても良い。
【００４２】
更に、上記実施形態にあっては、復帰手段３０は、収容部に形成されたピン１３ａに回転可能に支持されたローラ１３ｂに巻かれて、１８０度方向を転換するように構成されている。
本発明は、これに限定されることなく、図１２、図１３に示すように、保持部材４０をベース部材１０に固定する螺子４３によって、ローラ４５を回転可能に軸支し、このローラ４５に復帰手段３０を巻き、１８０度方向を転換するように構成しても良い。
【図面の簡単な説明】
【００４３】
【図１】本発明に係るスノーボード用ビンディング装置の分解斜視図である。
【図２】本発明に係るスノーボード用ビンディング装置の斜視図である。
【図３】図２のＡ−Ａ矢視断面図である。
【図４】本発明に係るスノーボード用ビンディング装置の復帰手段の概略説明図である。
【図５】図２のＢ−Ｂ矢視断面図である。
【図６】ロータ部材を固定した状態を示す概略説明図である。
【図７】基準位置におけるロータ部材を示す概略説明図である。
【図８】反時計方向へのロータ部材の回動状態を示す概略説明図である。
【図９】時計方向へのロータ部材の回動状態を示す概略説明図である。
【図１０】他の実施形態におけるスノーボード用ビンディング装置の平面図である。
【図１１】ベース部材及び保持部材の変更例を示す断面図である。
【図１２】ピン及びローラの変更例を示す平面図である。
【図１３】図１２のＩ方向からの側面図である。
【図１４】回動阻止手段の変更例を示す斜視図である。
【図１５】従来のビンディングの取り付け構造の説明図である。
【図１６】従来のビンディングのセッティング装置の分解斜視図である。
【符号の説明】
【００４４】
１  ・・・ビンディング装置
１０・・・ベース部材
１１・・・取り付け部
１２・・・段部
１３・・・収容部
１４・・・保護部材
１５・・・螺子孔
１７・・・リミッタ
２０・・・ロータ部材
２１・・・裏面
２２・・・傾斜部
２３・・・開口部
２４・・・貫通孔
２５・・・螺子孔
３０・・・復帰手段
４０・・・保持部材
４１・・・傾斜面
４２・・・貫通孔
４３・・・螺子
５０・・・保護板
５１・・・長穴
６０・・・ビンディング部材
【図１】
0005490978.tif 000002
【図２】
0005490978.tif 000003
【図３】
0005490978.tif 000004
【図４】
0005490978.tif 000005
【図５】
0005490978.tif 000006
【図６】
0005490978.tif 000007
【図７】
0005490978.tif 000008
【図８】
0005490978.tif 000009
【図９】
0005490978.tif 000010
【図１０】
0005490978.tif 000011
【図１１】
0005490978.tif 000012
【図１２】
0005490978.tif 000013
【図１３】
0005490978.tif 000014
【図１４】
0005490978.tif 000015
【図１５】
0005490978.tif 000016
【図１６】
0005490978.tif 000017